(57)【要約】【課題】部材の数を減らして薄型、軽量に形成できる表示モジュールを提供する。【解決手段】搭載した電子部品を、一端に形成された導通端子５に電気的に接続する配線を備えた可撓性の接続部材２と、この接続部材２に設けられた複数の表示素子３，４とを有する表示モジュール１において、接続部材２は、各表示素子３，４の表示部の基板８，９を一体的に構成していることを特徴とする表示モジュール１としたものであり、基板８，９と接続部材２を兼用するので、複数の表示素子３，４をフレキシブル基板７を用いずに接続できるという作用を有する。【選択図】　図１
2004093627.tif 000002
【特許請求の範囲】
【請求項１】
搭載した電子部品を、一端に形成された導通端子に電気的に接続する配線を備えた可撓性の接続部材と、この接続部材に設けられた複数の表示素子とを有する表示モジュールにおいて、
前記接続部材は、各前記表示素子の表示部の基板を一体的に構成していることを特徴とする表示モジュール。
【請求項２】
前記複数の表示素子は、前記接続部材または外部に設けられた１つのドライバＩＣで駆動されることを特徴とする請求項１に記載の表示モジュール。
【請求項３】
前記接続部材の基材は透明であることを特徴とする請求項１または２に記載の表示モジュール。
【請求項４】
前記表示素子は前記接続部材の２箇所に配置され、前記接続部材に形成された一方の前記表示素子の配線は、他方の前記表示素子の両側を通過して導通端子に接続されていることを特徴とする請求項１から３のいずれかの項に記載の表示モジュール。
【請求項５】
前記表示素子は前記接続部材の２箇所に配置され、前記接続部材に形成された一方の前記表示素子の配線は、他方の前記表示素子の片側を通過して導通端子に接続されていることを特徴とする請求項１から３のいずれかの項に記載の表示モジュール。
【発明の詳細な説明】
【０００１】
【発明の属する技術分野】
本発明は、複数の表示素子を備えた表示モジュールに関する。
【０００２】
【従来の技術】
携帯電話等の小型機器の表示部には、小型で消費電力も小さい液晶ディスプレイが広く利用されている。この液晶ディスプレイは、機器の本体に組み込まれる液晶パネルとそのセグメントコモン配線に導通させる配線パターンを形成したフレキシブル基板とから構成される液晶モジュールとしたものが一般的である。
【０００３】
携帯電話の中には、液晶の表示部分と操作盤およびレシーバとマイクロホンを配列したタイプのものと、より小型化するために折り畳み式にしたものとがある。この折り畳み式の携帯電話は、液晶画面とレシーバを含む表示部と、操作スイッチとマイクロホンを備えた操作部とをヒンジで開閉できるように連結したものである。ところが、このような折り畳み式の携帯電話では、畳んだときに液晶表示部が見えないので、着信やそのほかの情報を知るためには、表示部をいちいち開いてから確認する必要がある。そこで、最近では、表示部を折り畳んだまま情報を得られるようにするため、表示部の両面に液晶画面を配置したものが利用されるようになった。
【０００４】
図４は、従来例に係る表示モジュールの側断面図である。
【０００５】
図４に示すように、表示部に内蔵されている従来例に係る表示モジュール７０は、ハウジング７１に固定された第１の液晶表示パネル７２と、別のハウジング７３に固定された第２の液晶表示パネル７４が両ハウジング７１，７３の背面を当接させた状態で重合して配置されている。第１，第２の液晶表示パネル７２，７４には、それぞれ配線パターンが形成されたフレキシブル基板７５，７６が導通接続され、それぞれドライバＩＣ７７，７８によって駆動される。
【０００６】
【発明が解決しようとする課題】
しかしながら、前記従来の表示モジュール７０は、ハウジング７１，７３が別に設けられているので厚みが厚くなり、近年における薄型化および軽量化の要求に応えることができないという問題がある。
【０００７】
また、第１，第２の液晶表示パネル７２，７４は、別々のドライバＩＣ７７，７８によって駆動されるので、部品が多くなり、スペース的な余裕がなくなるという問題もある。
【０００８】
さらに、第１，第２の液晶表示パネル７２，７４は、フレキシブル基板７５，７６によって接続されるので、作業状態によっては接続が不安定になり、また、接続部を屈曲させると無理な応力が加わって断線の原因となることもある。
【０００９】
そこで本発明は、部材の数を減らして薄型、軽量に形成できる表示モジュールを提供することを目的とする。
【００１０】
【課題を解決するための手段】
本発明の表示モジュールにおいては、可撓性の接続部材が、各表示素子の表示部の基板を一体的に構成している表示モジュールとしたものである。
【００１１】
この発明によれば、部材の数を減らして薄型、軽量に形成できる表示モジュールが得られる。
【００１２】
【発明の実施の形態】
本発明の請求項１に記載の発明は、搭載した電子部品を、一端に形成された導通端子に電気的に接続する配線を備えた可撓性の接続部材と、この接続部材に設けられた複数の表示素子とを有する表示モジュールにおいて、前記接続部材は、各前記表示素子の表示部の基板を一体的に構成していることを特徴とする表示モジュールとしたものであり、基板と接続部材を兼用するので、複数の表示素子をフレキシブル基板を用いずに接続できるという作用を有する。
【００１３】
請求項２に記載の発明は、前記複数の表示素子は、前記接続部材または外部に設けられた１つのドライバＩＣで駆動されることを特徴とする請求項１に記載の表示モジュールとしたものであり、ドライバＩＣを省略して、部品を減らしてコストが削減されるという作用を有する。
【００１４】
請求項３に記載の発明は、前記接続部材の基材は透明であることを特徴とする請求項１または２に記載の表示モジュールとしたものであり、透明であるため光を透過でき、孔部を形成しなくても表示素子を構成できるという作用を有する。
【００１５】
請求項４に記載の発明は、前記表示素子は前記接続部材の２箇所に配置され、前記接続部材に形成された一方の前記表示素子の配線は、他方の前記表示素子の両側を通過して導通端子に接続されていることを特徴とする請求項１から３のいずれかの項に記載の表示モジュールとしたものであり、一方の表示素子から他方の表示素子の両側部までの間に形成される配線パターンを太くできるという作用を有する。
【００１６】
請求項５に記載の発明は、前記表示素子は前記接続部材の２箇所に配置され、前記接続部材に形成された一方の前記表示素子の配線は、他方の前記表示素子の片側を通過して導通端子に接続されていることを特徴とする請求項１から３のいずれかの項に記載の表示モジュールとしたものであり、配線が片側を通過するので、その反対側にスペースを開けることができ、ドライバＩＣの配置が容易になるという作用を有する。
【００１７】
以下、本発明の実施の形態について、図１から図２を用いて説明する。
【００１８】
（第１の実施の形態）
図１（Ａ）は本発明の第１の実施の形態に係る表示モジュールの正面図、（Ｂ）は同表示モジュールの側面図、（Ｃ）は同表示モジュールを途中で屈曲させたときの側面図、図２は同表示モジュールの接続部材に形成された配線パターンの説明図である。
【００１９】
図１（Ａ），（Ｂ）に示すように、表示モジュール１は、可撓性のプラスチックフィルムからなる矩形の接続部材２に設けられた２つの表示素子の一例である液晶表示パネル３，４を、接続部材２に形成された配線に接続している。また、図２に示すように、接続部材２に形成された一方の液晶表示パネル３の配線は、他方の表示素子の両側を通過して、接続部材２の他端に設けられた導通端子５に接続されている。
【００２０】
表示モジュール１の導通端子５には、液晶表示パネル３，４を駆動する１つのドライバＩＣ６を搭載したフレキシブル基板７が設けられている。
【００２１】
液晶表示パネル３，４は、２枚の基板８，９の間に液晶を封入し、表側に偏光板１０、裏側に反射板１１を有している。そして、接続部材２の一部は、両液晶表示パネル３，４の表示部を構成する裏側の基板９を兼用して、一体的に形成されている。
【００２２】
接続部材２の基材はポリカーボネート等の透明のプラスチック基板に図示しない透明のＩＴＯ（インジウム・チタン酸化物）を形成した構成となっており、液晶表示パネル３，４の表示部として、光を透過させることができる。
【００２３】
図１（Ｃ）に示すように、接続部材２は可撓性であるので、液晶表示パネル３，４の間で１８０°屈曲させて使用することができる。このとき、両反射板１１の間には、図示しない板状のバックライトを配置することができる。
【００２４】
なお、接続部材２は可撓性部材からなって液晶表示パネル３，４に一体的に接続しているので、屈曲時の応力集中がなく、断線しにくい。また、液晶表示パネル３，４を任意の角度に配置して設置することも可能である。この場合においても、接続部材２の曲げ角度を調整することによってその配置位置を決めることができるので、例えば、ケーシングのデザインが異なる複数種類の携帯電話に共通の表示モジュール１で対応でき、汎用性が高い。
【００２５】
図２に示すように、表示モジュール１の液晶表示パネル３の配線は、液晶表示パネル４の両側を通過しているので、両液晶表示パネル３，４の間にある屈曲部１２における配線の太さを太くでき、屈曲による配線パターンの断線を防止できる。
【００２６】
（第２の実施の形態）
図３は、第２の実施の形態に係る表示モジュールの接続部材に形成された配線パターンの説明図である。
【００２７】
接続部材１３に形成された一方の液晶表示パネル３の配線パターンは、他方の液晶表示パネル４の片側を通過して導通端子５に接続されている。
【００２８】
かかる構成によって、液晶表示パネル３の配線パターンの逆側には、配線がない広いスペース１４が形成されるので、フレキシブル基板７に設けられているドライバＩＣ６をこのスペース１４に配置して、フレキシブル基板を省略することも可能である。
【００２９】
なお、以上の説明では、表示素子は、液晶パネルとして説明したが、本発明はこれに限定されるものではなく、例えば、有機ＥＬ（Ｅｌｅｃｔｒｏ　Ｌｕｍｉｎｅｓｃｅｎｃｅ：電界発光）ディスプレイや電子インク等を用いたディスプレイ装置についても同様に実施可能である。
【００３０】
【発明の効果】
以上のように本発明によれば、接続部材が、表示素子の基板を一体的に構成するので、複数の表示素子をフレキシブル基板を用いずに接続でき、部品を減らして組み立ての手間を少なくし、製品の信頼性を向上させることができる。
【００３１】
また、複数の表示素子を、１つのドライバＩＣで駆動する構成にすると、部品を減らしてコストが削減されると共に製品をコンパクトに形成できる。
【００３２】
基板の基材を透明にすると、光を透過でき、孔部を形成しなくても表示素子を形成できるので、製造が容易でかつ強度も増加する。
【００３３】
一方の表示素子の配線を、他方の表示素子の両側を通過させて導通端子に接続すると、配線パターンを太くでき、断線を防止して製品の信頼性を向上させることができる。
【００３４】
一方の表示素子の配線を、他方の表示素子の片側を通過させて導通端子に接続すると、配線が片側を通過するので、その反対側にスペースを開けることができ、ドライバＩＣの配置が容易になり、製品をコンパクトに形成できる。
【図面の簡単な説明】
【図１】（Ａ）は本発明の第１の実施の形態に係る表示モジュールの正面図
（Ｂ）は同表示モジュールの側面図
（Ｃ）は同表示モジュールを途中で屈曲させたときの側面図
【図２】同表示モジュールの接続部材に形成された配線パターンの説明図
【図３】本発明の第２の実施の形態に係る表示モジュールの接続部材に形成された配線パターンの説明図
【図４】従来例に係る表示モジュールの側断面図
【符号の説明】
１　表示モジュール
２　接続部材
３，４　液晶表示パネル（表示素子）
５　導通端子
６　ドライバＩＣ
７　フレキシブル基板
８，９　基板
１０　偏光板
１１　反射板
１２　屈曲部
１３　接続部材
１４　スペース
【図１】
2004093627.tif 000003
【図２】
2004093627.tif 000004
【図３】
2004093627.tif 000005
【図４】
2004093627.tif 000006